(57)【要約】【課題】ユーザにとって負担にならずに、ユーザに情報を見易くさせる。【解決手段】視認意思検知部は、表面を外側に略円筒形状に湾曲可能で、その表面の全周または一部の領域に表示可能な表示部を体の一部に装着するユーザの、表示部に表示される情報の視認意思を検知し、表示領域決定部は、ユーザの視認意思に応じて、表示部においてユーザが視認可能な領域を、情報を表示する表示領域に決定し、表示制御部は、表示領域への情報の表示を制御する。本技術は、リストバンド型の表示装置に適用することができる。【選択図】図２
2015172653.tif 000002
【特許請求の範囲】
【請求項１】
表面を外側に略円筒形状に湾曲可能で、その表面の全周または一部の領域に表示可能な表示部と、
前記表示部を体の一部に装着するユーザの、前記表示部に表示される情報の視認意思を検知する視認意思検知部と、
前記ユーザの視認意思に応じて、前記表示部において前記ユーザが視認可能な領域を、前記情報を表示する表示領域に決定する表示領域決定部と、
前記表示領域への前記情報の表示を制御する表示制御部と
を備える表示装置。
【請求項２】
前記視認意思検知部は、前記ユーザの姿勢を検知することで、前記ユーザの視認意思を検知する
請求項１に記載の表示装置。
【請求項３】
前記表示領域決定部は、前記ユーザの姿勢に基づいて、前記表示部において前記ユーザが視認可能な領域を、前記表示領域に決定する
請求項２に記載の表示装置。
【請求項４】
前記視認意思検知部は、前記ユーザの操作入力によって、前記ユーザの視認意思を検知する
請求項１に記載の表示装置。
【請求項５】
前記表示領域決定部は、前記表示部に重畳されてなるタッチパネルへの操作入力に応じて、前記表示領域を決定する
請求項１に記載の表示装置。
【請求項６】
前記表示制御部は、前記表示領域において、前記情報を前記表示部の円周方向に連続的にスクロールさせる
請求項１に記載の表示装置。
【請求項７】
前記表示制御部は、前記表示領域において、前記情報を所定の時間間隔でスライド表示させる
請求項１に記載の表示装置。
【請求項８】
前記表示制御部は、前記表示領域において、前記情報の全てが収まるように前記情報一括表示させる
請求項１に記載の表示装置。
【請求項９】
前記表示制御部は、前記表示領域において、前記表示部に重畳されてなるタッチパネルへの操作入力に応じて前記情報を前記表示部の円周方向にスクロールさせる
請求項１に記載の表示装置。
【請求項１０】
前記表示制御部は、前記ユーザの行動に応じて、前記表示部に表示される前記情報の表示の仕方を変更する
請求項１に記載の表示装置。
【請求項１１】
前記表示部の円周方向の回転を検出する回転検出部をさらに備え、
前記表示領域決定部は、前記回転検出部により検出された回転の角度に応じて、前記表示領域を移動させ、
前記表示制御部は、前記表示領域の移動に対応して、前記情報の表示を制御する
請求項１に記載の表示装置。
【請求項１２】
前記回転検出部により、初期状態から１周分の回転が検出された場合、
前記表示制御部は、前記初期状態の位置の前記表示領域に、前記情報の続きを表示させる
請求項１１に記載の表示装置。
【請求項１３】
前記回転検出部により、初期状態から所定角度分の回転が検出され、さらに前記初期状態への逆回転が検出された場合、
前記表示領域決定部は、回転に応じて移動した前記表示領域を前記初期状態の位置に戻し、
前記表示制御部は、前記初期状態の位置の前記表示領域に、前記情報の続きを表示させる
請求項１１に記載の表示装置。
【請求項１４】
前記表示制御部は、前記表示部における前記表示領域以外の領域への所定の画像または色の表示を制御する
請求項１に記載の表示装置。
【請求項１５】
前記表示制御部は、前記ユーザによる前記情報の視認意思がない場合、前記表示部の全周またはその一部への所定の画像または色の表示を制御する
請求項１に記載の表示装置。
【請求項１６】
表面を外側に略円筒形状に湾曲可能で、その表面の全周または一部の領域に表示可能な表示部を備える表示装置の表示方法であって、
前記表示装置が、
前記表示部を体の一部に装着するユーザの、前記表示部に表示される情報の視認意思を検知し、
前記ユーザの視認意思に応じて、前記表示部において前記ユーザが視認可能な領域を、前記情報を表示する表示領域に決定し、
前記表示領域への前記情報の表示を制御する
ステップを含む表示方法。
【発明の詳細な説明】
【技術分野】
【０００１】
本技術は、表示装置および表示方法に関し、特に、ユーザに情報を見易くさせることができるようにする表示装置および表示方法に関する。
【背景技術】
【０００２】
近年、人体の一部に装着可能な（ウェアラブルな）装置が提案されている。
【０００３】
そのようなウェアラブルな装置のうち、表示装置として、例えば、頭部に装着された発光器からの光を検知する受光部を備える表示切替手段により、衣服の腕の部分に設けられる表示部の表示を切り替えるようにしたものがある（例えば、特許文献１参照）。
【０００４】
また、リストバンドの一部に表示部を設けるようにしたリストバンド型の表示装置は多く提案されている。
【先行技術文献】
【特許文献】
【０００５】
【特許文献１】特許第４２７２４４０号公報
【発明の概要】
【発明が解決しようとする課題】
【０００６】
ところで、ユーザがリストバンド型の表示装置を装着する場合、リストバンドによって腕（手首）をある程度の力で締め付ける必要があるが、このことは、場合によってはユーザにとって煩わしく負担になっていた。
【０００７】
そこで、リストバンドによって手首が締め付けられないように、緩い締め付け具合で装着可能なデバイスを考えた場合、ユーザの負担は軽減できる一方、表示部がユーザにとって見えない位置に移動（回転）してしまう恐れがある。
【０００８】
本技術は、このような状況に鑑みてなされたものであり、ユーザにとって負担にならずに、ユーザに情報を見易くさせることができるようにするものである。
【課題を解決するための手段】
【０００９】
本技術の一側面の表示装置は、表面を外側に略円筒形状に湾曲可能で、その表面の全周または一部の領域に表示可能な表示部と、前記表示部を体の一部に装着するユーザの、前記表示部に表示される情報の視認意思を検知する視認意思検知部と、前記ユーザの視認意思に応じて、前記表示部において前記ユーザが視認可能な領域を、前記情報を表示する表示領域に決定する表示領域決定部と、前記表示領域への前記情報の表示を制御する表示制御部とを備える。
【００１０】
前記視認意思検知部には、前記ユーザの姿勢を検知することで、前記ユーザの視認意思を検知させることができる。
【００１１】
前記表示領域決定部には、前記ユーザの姿勢に基づいて、前記表示部において前記ユーザが視認可能な領域を、前記表示領域に決定させることができる。
【００１２】
前記視認意思検知部には、前記ユーザの操作入力によって、前記ユーザの視認意思を検知させることができる。
【００１３】
前記表示領域決定部には、前記表示部に重畳されてなるタッチパネルへの操作入力に応じて、前記表示領域を決定させることができる。
【００１４】
前記表示制御部には、前記表示領域において、前記情報を前記表示部の円周方向に連続的にスクロールさせることができる。
【００１５】
前記表示制御部には、前記表示領域において、前記情報を所定の時間間隔でスライド表示させることができる。
【００１６】
前記表示制御部には、前記表示領域において、前記情報の全てが収まるように前記情報一括表示させることができる
【００１７】
前記表示制御部には、前記表示領域において、前記表示部に重畳されてなるタッチパネルへの操作入力に応じて前記情報を前記表示部の円周方向にスクロールさせることができる。
【００１８】
前記表示制御部には、前記ユーザの行動に応じて、前記表示部に表示される前記情報の表示の仕方を変更させることができる。
【００１９】
前記表示装置には、前記表示部の円周方向の回転を検出する回転検出部をさらに設け、前記表示領域決定部には、前記回転検出部により検出された回転の角度に応じて、前記表示領域を移動させ、前記表示制御部には、前記表示領域の移動に対応して、前記情報の表示を制御させることができる。
【００２０】
前記回転検出部により、初期状態から１周分の回転が検出された場合、前記表示制御部には、前記初期状態の位置の前記表示領域に、前記情報の続きを表示させることができる。
【００２１】
前記回転検出部により、初期状態から所定角度分の回転が検出され、さらに前記初期状態への逆回転が検出された場合、前記表示領域決定部には、回転に応じて移動した前記表示領域を前記初期状態の位置に戻させ、前記表示制御部は、前記初期状態の位置の前記表示領域に、前記情報の続きを表示させることができる。
【００２２】
前記表示制御部には、前記表示部における前記表示領域以外の領域への所定の画像または色の表示を制御させることができる。
【００２３】
前記表示制御部には、前記ユーザによる前記情報の視認意思がない場合、前記表示部の全周またはその一部への所定の画像または色の表示を制御させることができる。
【００２４】
本技術の一側面の表示方法は、表面を外側に略円筒形状に湾曲可能で、その表面の全周または一部の領域に表示可能な表示部を備える表示装置の表示方法であって、前記表示装置が、前記表示部を体の一部に装着するユーザの、前記表示部に表示される情報の視認意思を検知し、前記ユーザの視認意思に応じて、前記表示部において前記ユーザが視認可能な領域を、前記情報を表示する表示領域に決定し、前記表示領域への前記情報の表示を制御するステップを含む。
【００２５】
本技術の一側面においては、表示部を体の一部に装着するユーザの、表示部に表示される情報の視認意思が検知され、ユーザの視認意思に応じて、表示部においてユーザが視認可能な領域が、情報を表示する表示領域に決定され、表示領域への情報の表示が制御される。
【発明の効果】
【００２６】
本技術の一側面によれば、ユーザにとって負担にならずに、ユーザに情報を見易くさせることが可能となる。
【図面の簡単な説明】
【００２７】
【図１】本技術を適用した表示装置の一実施の形態の構成例を示す外観図である。
【図２】表示装置の機能構成例を示すブロック図である。
【図３】表示領域について説明する図である。
【図４】情報表示処理について説明するフローチャートである。
【図５】表示領域の決定について説明する図である。
【図６】表示領域の決定について説明する図である。
【図７】表示装置の機能構成例を示すブロック図である。
【図８】表示領域移動処理について説明するフローチャートである。
【図９】表示領域の移動について説明する図である。
【図１０】表示領域移動処理について説明するフローチャートである。
【図１１】表示領域の移動について説明する図である。
【図１２】表示装置の他の実施の形態の構成例を示す外観図である。
【発明を実施するための形態】
【００２８】
以下、本技術の実施の形態について図を参照して説明する。
【００２９】
[表示装置の外観図]
図１は、本技術を適用したリストバンド型の表示装置の一実施の形態の構成例を示す外観図である。
【００３０】
図１の表示装置１は、例えば樹脂製で、中空の円筒形状に構成され、人体の一部としての腕（手首）に装着される。表示装置１自体は伸縮せず、ユーザが表示装置１を装着する際には、ユーザは、手のひらをすぼめて指先から手首に向けて表示装置１に手を通す。ユーザがその手首に表示装置１を装着した状態では、表示装置１は手首の周りを移動（回転）可能とされる。
【００３１】
表示装置１の外周面には、全周にわたり、表面を外側にして円筒形状に湾曲可能で、その表面の全周または一部の領域に表示可能な表示部１１が設けられている。表示部１１には、例えば、有機EL（Electro Luminescence）や電子ペーパーにより構成される、薄くフレキシブルなディスプレイが用いられる。
【００３２】
また、表示部１１には、ユーザの指やスタイラスによる接触（押圧）による入力を受け付けるタッチパネルが重畳されて設けられるようにしてもよい。
【００３３】
なお、表示装置１の円筒部の内部には、表示部１の表示を制御するためのマイクロチップや、表示部１に表示される情報を記憶するメモリが設けられるものとする。
【００３４】
[表示装置の機能構成例]
図２は、表示装置１の機能構成例を示すブロック図である。
【００３５】
表示装置１は、図１で説明した表示部１１に加え、センサ群２１、カメラ２２、入力部２３、記憶部２４、および制御部２５を備えている。
【００３６】
センサ群２１は、加速度センサ、ジャイロセンサ、地磁気センサ等を含むように構成される。これら各センサは、その出力を制御部２５に供給する。
【００３７】
カメラ２２は、超小型のピンホールカメラとして構成され、表示部１１の外周面に複数設けられ、撮像結果を制御部２５に供給する。
【００３８】
入力部２３は、上述した、表示部１１に重畳されて設けられるタッチパネルの他、例えば表示装置１の側面（円筒部の縁面）に設けられる物理的なボタン等として構成される。入力部２３は、ユーザによる操作入力を受け付け、その操作入力に対応する操作情報を制御部２５に供給する。
【００３９】
記憶部２４は、表示部１１に表示されるテキストや画像等の表示用の情報（以下、表示情報という）の他、表示部１１の表示制御に用いられる各種の情報を記憶する。記憶部２４に記憶されている情報は、必要に応じて、制御部２５に読み出される。なお、記憶部２４に記憶されている情報は、表示装置１に通信部を設けることにより、ネットワークを介して、外部の装置から表示装置１に供給されるようにしてもよい。
【００４０】
制御部２５は、表示部１１における表示に関する制御を行う。具体的には、制御部２５は、センサ群２１からの出力、カメラ２２からの撮像結果、入力部２３からの操作情報の少なくともいずれか１つに基づいて、記憶部２４から読み出した表示情報の表示部１１への表示を制御する。
【００４１】
制御部２５は、視認意思検知部３１、表示領域決定部３２、および表示制御部３３を備えている。
【００４２】
視認意思検知部３１は、センサ群２１からの出力、カメラ２２からの撮像結果、入力部２３からの操作情報の少なくともいずれか１つに基づいて、表示装置１（表示部１１）を装着するユーザの、表示部１１に表示される表示情報の視認意思（表示情報を見ようとしているか否か）を検知し、その検知結果（ユーザの視認意思）を、表示領域決定部３２または表示制御部３３に供給する。
【００４３】
表示領域決定部３２は、視認意思検知部３１からのユーザの視認意思に応じて、表示部１１においてユーザが視認可能な領域を、記憶部２４からの表示情報を表示する表示領域に決定する。
【００４４】
すなわち、ユーザの視認意思がある（ユーザが情報を見ようとしている）場合、例えば図３に示されるように、表示部１１においてユーザの目Ueの視界に入る領域Ｄ（図中、白抜きで示される部分）が、表示領域に決定される。
【００４５】
表示領域決定部３２は、決定された表示領域を表す表示領域情報を、表示制御部３３に供給する。
【００４６】
表示制御部３３は、表示領域決定部３２から表示領域情報が供給されると、表示部１１において表示領域情報で表される表示領域への、記憶部２４からの表示情報の表示を制御する。また、表示制御部３３は、視認意思検知部３１から検知結果（ユーザの視認意思）が供給されると、表示部１１の全周またはその一部の領域の表示を制御する。
【００４７】
[表示装置による情報表示処理]
次に、図４のフローチャートを参照して、表示装置１による情報表示処理について説明する。
【００４８】
なお、図４の情報表示処理は、表示装置１が、ユーザの左右の腕のどちらに装着されているかが判別された後で開始される。
【００４９】
例えば、制御部２５は、センサ群２１を構成する加速度センサやジャイロセンサの歩行時の出力を用いたパターン認識により、表示装置１が左右の腕のどちらに装着されているかを判別する。なお、パターン認識に用いられるデータは、予め学習により取得され記憶部２４に記憶されているものとする。
【００５０】
また、センサ群２１として、ユーザの手首部分の静脈パターンを撮像可能な静脈センサを表示装置１の内周面に設けるようにして、その静脈パターンを用いたパターン認識により、表示装置１が左右の腕のどちらに装着されているかを判別するようにしてもよい。
【００５１】
なお、入力部２３として設けられるタッチパネルやボタンに対する、ユーザによる操作入力により、表示装置１が左右の腕のどちらに装着されているかが設定されるようにしてもよい。
【００５２】
このようにして、表示装置１が、ユーザの左右の腕のどちらに装着されているかが判別されると、ステップＳ１１において、制御部２５の視認意思検知部３１は、表示装置１を装着するユーザの視認意思を検知する。
【００５３】
例えば、視認意思検知部３１は、ユーザの姿勢を検知し、ユーザが表示部１１に表示される表示情報を見ようとする姿勢（腕時計を見るような姿勢）をとったか否かを判別することで、ユーザの視認意思を検知する。
【００５４】
具体的には、視認意思検知部３１は、センサ群２１としての加速度センサやジャイロセンサ、または地磁気センサの出力を用いて、表示装置１の３次元的な状態（３次元空間における位置や傾きの変化）を推定することで、ユーザの姿勢を検知する。なお、ユーザの姿勢、すなわち各センサの３次元的な状態を予め学習により取得し記憶部２４に記憶させることで、パターン認識によりユーザの姿勢が検知されるようにしてもよい。
【００５５】
また、視認意思検知部３１は、カメラ２２により撮像された撮像画像を用いて、ユーザの視線検出や顔検出を行うことで、ユーザの姿勢を検知することもできる。
【００５６】
このようにして、視認意思検知部３１は、ユーザの姿勢を検知することで、ユーザの視認意思を検知する。
【００５７】
さらに、視認意思検知部３１は、入力部２３として設けられるタッチパネルやボタンに対する、ユーザによる操作入力により、ユーザの視認意思を検知するようにしてもよい。
【００５８】
ステップＳ１２において、視認意思検知部３１は、ステップＳ１１における検知の結果、ユーザに、表示部１１に表示される表示情報の視認意思があるか否か、言い換えると、ユーザが表示部の情報を見ようとする姿勢をとったか否かを判定する。
【００５９】
ステップＳ１２において、ユーザに視認意思があると判定された場合、視認意思検知部３１は、視認意思がある旨の検知結果を、表示領域決定部３２に供給し、処理はステップＳ１３に進む。
【００６０】
なお、ユーザに視認意思があるか否かが判定されるまでは、入力部２３として設けられるタッチパネルに対する操作入力を無効とし、ユーザに視認意思があると判定された場合に、そのタッチパネルに対する操作入力を有効とするようにしてもよい。
【００６１】
ステップＳ１３において、表示領域決定部３２は、視認意思検知部３１からの検知結果に応じて、表示部１１における表示領域を決定する。
【００６２】
例えば、表示領域決定部３２は、視認意思検知部３１により、センサ群２１としての加速度センサやジャイロセンサ、または地磁気センサの出力を用いて検知されたユーザの姿勢に基づいて、ユーザの手首に装着されている表示部１１における手の甲側の領域や、顔に近い側の領域、地面に対向する側とは反対側の領域を推定し、その領域を表示領域に決定する。
【００６３】
また、表示領域決定部３２は、センサ群２１としての静脈センサにより撮像されたユーザの手首部分の静脈パターンを用いて、表示部１１におけるユーザの手首の手のひら側を推定し、その反対側の領域を表示領域に決定するようにもできる。
【００６４】
さらに、表示領域決定部３２は、表示部１１の外周面に複数設けられているカメラ２２により撮像された撮像画像を用いて、ユーザの視線検出や顔検出を行うことで、表示部１１において、ユーザの顔に向いている側の領域を、表示領域に決定するようにしてもよい。
【００６５】
なお、上述したように、表示部１１においてユーザが視認可能な領域が表示領域に決定される際、図５に示されるように、ユーザによって予め設定された角度θで決まる円弧に対応する領域Ｄが、表示領域に決定されるようにしてもよい。
【００６６】
また、表示領域決定部３２は、入力部２３として設けられるタッチパネルやボタンに対する、ユーザによる操作入力により、表示領域を決定するようにしてもよい。具体的には、図６に示されるように、表示部１１においてユーザの指Ufによりなぞられた領域Ｄが、表示領域に決定されるようにしてもよいし、ユーザの指Ufにタッチされた部分を中心とした所定範囲の領域が表示領域に決定されるようにしてもよい。
【００６７】
特に、ユーザが仰向けになって寝ながら表示部１１を確認しようとした場合には、表示部１１において地面に対向する側とは反対側の領域は、ユーザから見えない領域となってしまうため、タッチパネルに対する操作入力による表示領域の決定が有効とされる。
【００６８】
表示領域決定部３２は、上述のようにして決定された表示領域を表す表示領域情報を、表示制御部３３に供給する。
【００６９】
図４のフローチャートに戻り、ステップＳ１４において、表示制御部３３は、表示領域決定部３２からの表示領域情報で表される表示領域に、記憶部２４からの表示情報を表示させる。
【００７０】
具体的には、表示制御部３３は、表示部１１の表示領域において、表示情報としてのテキストデータを表示部１１の円周方向に連続的にスクロールさせる。
【００７１】
また、表示制御部３３は、表示部１１の表示領域において、表示情報としてのテキストデータを所定量ずつ、例えば５秒等の所定の時間間隔でスライド表示させるようにしてもよい。
【００７２】
さらに、表示制御部３３は、表示部１１の表示領域において、表示情報としてのテキストデータの全てが収まるように、そのテキストデータを一括表示させるようにしてもよい。
【００７３】
また、表示制御部３３は、入力部２３として設けられるタッチパネルに対する、ユーザによる操作入力に応じて、表示部１１の表示領域において、テキストデータを表示部１１の円周方向に連続的にスクロールさせるようにしてもよい。
【００７４】
さらにまた、表示制御部３３は、ユーザの行動に応じて、表示部１１の表示領域において表示される表示情報としてのテキストデータの表示の仕方を変更するようにしてもよい。
【００７５】
具体的には、表示制御部３３は、ユーザが走っている場合には、表示部１１の表示領域において表示されるテキストの文字のサイズを大きくしたり、ユーザが立ち止まっている場合には、表示部１１の表示領域において表示されるテキストの文字のサイズを小さくしたりする。また、ユーザが車を運転している場合には、表示部１１の表示領域において表示されるテキストが音声として出力されるようにしてもよい。なお、走っている、立ち止まっている、車を運転している等のユーザの行動は、センサ群２１としての加速度センサやジャイロセンサを用いて認識することが可能である。
【００７６】
なお、表示制御部３３は、表示部１１における表示領域以外の領域に、所定の画像や色等を表示させることもできる。
【００７７】
一方、ステップＳ１２において、ユーザに視認意思がないと判定された場合、視認意思検知部３１は、視認意思がない旨の検知結果を、表示制御部３３に供給し、処理はステップＳ１５に進む。
【００７８】
ステップＳ１５において、表示制御部３３は、表示部１１の全周の領域に、所定の画像や色等を表示させる。表示部１１の全周の領域に表示されるものとしては、例えば、アクセサリを模したデザインの画像、周囲の人が確認できるような広告やメッセージ等がある。なお、表示部１１において所定の画像や色が表示される領域は、表示部１１の全周の領域に限らず、例えばユーザの手の甲側の領域等、表示部１１の一部の領域であってもよい。
【００７９】
また、ユーザに視認意思がないと判定された場合には、表示部１１の全周の領域には何も表示されないようにしてもよい。
【００８０】
ステップＳ１４またはステップＳ１５の後、処理はステップＳ１１に戻る。
【００８１】
以上の処理によれば、ユーザの手首に緩い締め付け具合で装着されたリストバンド型の表示装置が手首の周りを移動（回転）した場合であっても、表示部においてユーザが視認可能な領域に表示情報が表示されるようになるので、ユーザにとって負担にならずに、ユーザに情報を見易くさせることが可能となる。
【００８２】
上述したように、本技術が適用されるリストバンド型の表示装置は、ユーザの手首に緩い締め付け具合で装着されるので、ユーザは、意図的に手首の周りで表示装置を回転させることができる。そこで、表示装置の回転に応じて、表示部における表示領域を移動させるようにしてもよい。
【００８３】
[表示装置の他の機能構成例]
図７は、表示装置の回転に応じて、表示領域を移動させるようにしたリストバンド型の表示装置の機能構成例を示すブロック図である。
【００８４】
なお、図７の表示装置１０１において、図２の表示装置１と同一の機能を有する部分には同一符号を付してあり、その説明は適宜省略する。
【００８５】
すなわち、図７の表示装置１０１において、図２の表示装置１と異なるのは、制御部２５に代えて、制御部１２１が設けられた点である。そして、図７の制御部１２１において、図２の制御部２５と異なるのは、回転検出部１３１が新たに設けられた点である。
【００８６】
回転検出部１３１は、センサ群２１としてのジャイロセンサや地磁気センサからの出力に基づいて、表示装置１０１（表示部１１）の円周方向の回転を検出し、回転した角度を表す角度情報を、表示領域決定部３２および表示制御部３３に供給する。
【００８７】
そして、表示領域決定部３２は、回転検出部１３１からの角度情報で表される回転角度に応じて、表示部１１における表示領域を移動させる。また、表示制御部３３は、回転検出部１３１からの角度情報で表される回転角度（言い換えると、表示部１１における表示領域の移動）に応じて、表示領域に表示される表示情報の表示を制御する。
【００８８】
[表示装置による表示領域移動処理の例１]
次に、図８のフローチャートを参照して、表示装置１０１による表示領域移動処理の例について説明する。
【００８９】
図８の表示領域移動処理は、図４の情報表示処理のステップＳ１４において、表示領域に表示情報が表示されている状態で開始されるものとする。なお、このときの表示装置１０１の３次元的な状態を初期状態とする。
【００９０】
ステップＳ５１において、回転検出部１３１は、センサ群２１からの出力に基づいて、表示装置１０１が初期状態から円周方向に回転したか否かを判定する。
【００９１】
表示装置１０１が初期状態から円周方向に回転したと判定されるまで、ステップＳ５１の処理は繰り返される。そして、表示装置１０１が初期状態から円周方向に回転したと判定されると、回転検出部１３１は、回転した角度を表す角度情報を、表示領域決定部３２および表示制御部３３に供給し、処理はステップＳ５２に進む。
【００９２】
ステップＳ５２において、表示領域決定部３２は、回転検出部１３１からの角度情報で表される回転角度に応じて、表示部１１における表示領域を移動させる。
【００９３】
ステップＳ５３において、表示制御部３３は、表示部１１における表示領域の移動に対応して、その移動した表示領域に表示情報を表示させる。
【００９４】
ステップＳ５４において、回転検出部１３１は、センサ群２１からの出力に基づいて、表示装置１０１が初期状態から１周分回転したか否かを判定する。
【００９５】
表示装置１０１が初期状態から１周分回転したと判定されるまで、ステップＳ５１乃至ステップＳ５４の処理が繰り返される。そして、表示装置１０１が初期状態から１周分回転したと判定されると、回転検出部１３１は、初期状態から１周分回転した旨の情報を表示制御部３３に供給し、処理はステップＳ５５に進む。
【００９６】
ステップＳ５５において、表示制御部３３は、初期状態の位置の表示領域に情報の続きを表示させる。
【００９７】
ここで、図９を参照して、上述した表示装置１０１の回転に応じた表示領域の移動について説明する。図９Ａ，Ｂ，Ｃそれぞれの左側には、表示装置１０１の簡易的な側面図が示されており、図９Ａ，Ｂ，Ｃそれぞれの右側には、表示部１１における表示領域の移動の様子が示されている。表示領域には、「今日は晴れのちくもり、ところにより一時雨、気温は平年並み・・・」のテキストの一部が表示されるものとする。
【００９８】
図９Ａは、表示装置１０１の初期状態を示しており、表示領域は、表示部１１における点P0と点P1とで決まる領域とされる。なお、点P0と点P1とで決まる領域を、以下においては、領域P0-P1などということとする。また、図９Ａの初期状態においては、表示領域としての領域P0-P1に、テキスト全体のうちの「今日は晴れの」の部分が表示されている。
【００９９】
図９Ａ左側の初期状態から、表示装置１０１が図中左回り（反時計回り）に回転すると、表示領域は、その回転に応じて、ユーザの視点からは固定されているかのように移動し、図９Ｂ左側に示される領域P1-P2の位置にくる。そして、図９Ｂ右側に示されるように、表示領域としての領域P1-P2には、テキスト全体のうちの「ちくもり、とこ」の部分が表示されるようになる。
【０１００】
図９Ｂ左側の状態から、表示装置１０１が図中左回り（反時計回り）に回転すると、表示領域は、その回転に応じて、ユーザの視点からは固定されているかのように移動し、図９Ｃ左側に示される領域P2-P0の位置にくる。そして、図９Ｃ右側に示されるように、表示領域としての領域P2-P0には、テキスト全体のうちの「ろにより一時雨、」の部分が表示されるようになる。
【０１０１】
つまり、表示部１１と、表示部１１に表示されるテキストとの相対位置が固定されているように、表示領域にテキストが表示される。
【０１０２】
さらに、図９Ｃ左側の状態から、表示装置１０１が図中左回り（反時計回り）に回転し、初期状態から１周分回転すると、表示領域は、図９Ａ左側に示される領域P0-P1の位置に戻る。そして、表示領域としての領域P0-P1には、「ろにより一時雨、」の続きである「気温は平年並」の部分が表示されるようになる。
【０１０３】
図８のフローチャートに戻り、ステップＳ５５の後、処理はステップＳ５１に戻り、上述した処理が繰り返される。このようにして、ユーザは表示装置を、手首の周りで回転させることで、回転に応じて表示される表示情報を確認することができるようになる。
【０１０４】
以上の処理によれば、ユーザが、緩い締め付け具合で装着されたリストバンド型の表示装置を手首の周りで回転させることで、表示部においてユーザが視認可能な領域に表示情報が表示されるようになるので、ユーザにとって負担にならずに、ユーザに情報を見易くさせることが可能となる。
【０１０５】
[表示装置による表示領域移動処理の例２]
次に、図１０のフローチャートを参照して、表示装置１０１による表示領域移動処理の他の例について説明する。
【０１０６】
図１０の表示領域移動処理もまた、図４の情報表示処理のステップＳ１４において、表示領域に情報が表示されている状態で開始されるものとする。なお、このときの表示装置１０１の３次元的な状態を初期状態とする。
【０１０７】
また、図１０のフローチャートにおけるステップＳ７１乃至ステップＳ７３の処理は、図８のフローチャートにおけるステップＳ５１乃至ステップＳ５３の処理と同様であるので、その説明は省略する。
【０１０８】
すなわち、ステップＳ７４において、回転検出部１３１は、センサ群２１からの出力に基づいて、表示装置１０１が初期状態から所定角度分回転し、さらに逆回転して初期状態に戻ったか否かを判定する。
【０１０９】
表示装置１０１が初期状態から所定角度分回転し、さらに逆回転して初期状態に戻ったと判定されるまで、ステップＳ７１乃至ステップＳ７４の処理が繰り返される。
【０１１０】
そして、表示装置１０１が初期状態から所定角度分回転し、さらに逆回転して初期状態に戻ったと判定されると、回転検出部１３１は、初期状態から所定角度分回転し、さらに逆回転して初期状態に戻った旨の情報を表示制御部３３に供給し、処理はステップＳ７５に進む。
【０１１１】
ステップＳ７５において、表示領域決定部３２は、表示領域を初期状態の位置（初期位置）に戻す。
【０１１２】
そして、ステップＳ７６において、表示制御部３３は、初期状態の位置の表示領域に情報の続きを表示させる。
【０１１３】
ここで、図１１を参照して、表示装置１０１の回転に応じた表示領域の移動について説明する。図９と同様、図１１Ａ，Ｂ，Ｃそれぞれの左側には、表示装置１０１の簡易的な側面図が示されており、図１１Ａ，Ｂ，Ｃそれぞれの右側には、表示部１１における表示領域の移動の様子が示されている。
【０１１４】
図１１Ａは、表示装置１０１の初期状態を示しており、表示領域は、表示部１１における領域P0-P1とされる。また、図１１Ａの初期状態においては、表示領域としての領域P0-P1に、テキスト全体のうちの「今日は晴れの」の部分が表示されている。
【０１１５】
図１１Ａ左側の初期状態から、表示装置１０１が図中左回り（反時計回り）に回転すると、表示領域は、その回転に応じて、ユーザの視点からは固定されているかのように移動し、図１１Ｂ左側に示される領域P1-P2の位置にくる。そして、図１１Ｂ右側に示されるように、表示領域としての領域P1-P2には、テキスト全体のうちの「ちくもり、とこ」の部分が表示されるようになる。
【０１１６】
そして、図１１Ｂ左側の状態から、表示装置１０１が図中右回り（時計回り）に逆回転し、初期状態に戻ると、表示領域は、図１１Ｃ左側に示される領域P0-P1の位置に戻る。そして、図１１Ｃ右側に示されるように、表示領域としての領域P0-P1には、「ちくもり、とこ」の続きである「ろにより一時雨、」の部分が表示されるようになる。
【０１１７】
図１０のフローチャートに戻り、ステップＳ７５の後、処理はステップＳ７１に戻り、上述した処理が繰り返される。このようにして、ユーザは、表示装置を手首の周りで回転させることで、回転に応じて表示される表示情報を確認することができるようになる。
【０１１８】
以上の処理によれば、ユーザが、緩い締め付け具合で装着されたリストバンド型の表示装置を手首の周りを移動（回転）させることで、表示部においてユーザが視認可能な領域に表示情報が表示されるようになるので、ユーザにとって負担にならずに、ユーザに情報を見易くさせることが可能となる。
【０１１９】
なお、表示部１１の表示領域に表示情報が表示された状態で、入力部２３として設けられるタッチパネルに対するユーザの操作入力として、シングルタッチによる操作入力がされた場合は、表示部１１の表示領域を固定した状態で表示情報を連続的にスクロールさせるようにし、マルチタッチによる操作入力がされた場合は、図８乃至図１１で説明したように、表示部１１の回転に応じて表示領域を移動させ、表示情報を表示させるようにしてもよい。
【０１２０】
[アプリケーション例]
以下においては、本技術の表示装置に適用されるアプリケーション例について説明する。
【０１２１】
（１）テキスト表示アプリケーション
本技術の表示装置に、メールやSNS（Social Network Service）におけるつぶやき等のテキスト表示を行うアプリケーションを適用することができる。特に、表示される文字数が多い場合には、タッチパネルに対するユーザの操作入力に応じたスクロール表示や、図８乃至図１１で説明したような、表示部１１の回転に応じた表示領域の移動および表示を行うようにする。
【０１２２】
なお、表示部１１においては、テキスト表示だけでなくテキスト入力を可能とするようにしてもよい。具体的には、図１０および図１１で説明したような、表示部１１の所定角度の回転および逆回転の操作により、五十音における行（あ行、か行等）を切り替え、選択された行における仮名（あ、い、う、え、お）をスクロール表示させ、ユーザに選択させるようにする。
【０１２３】
（２）画像表示アプリケーション
本技術の表示装置に、例えばカメラにより撮像された画像の表示を行うアプリケーションを適用することができる。この場合、表示領域に表示された画像は、表示部１１の円周方向だけでなく、表示装置の回転軸方向にスクロール表示が可能とされる。なお、表示される画像の選択の際には、図１０および図１１で説明したような、表示部１１の所定角度の回転および逆回転の操作により、画像のグループ（例えば画像が保存されているフォルダ）を切り替え、選択されたグループに含まれる複数の画像（例えばサムネイル画像）をスクロール表示させ、ユーザに選択させるようにする。
【０１２４】
（３）TODO管理アプリケーション
本技術の表示装置に、位置情報に基づいてTODO管理を行うアプリケーションを適用することができる。ユーザがしなければならないこと（TODO）のリストであるTODOリストを予め作成し、各TODOと位置情報とを対応付けて記憶させておく。表示装置を装着したユーザが、記憶されている位置情報で示される地点に近づくと、その位置情報に対応付けられているTODOを表示部１１の表示領域に表示させる。なお、ユーザが、記憶されている位置情報で示される地点に近づいたときに、音声や振動によりユーザに通知するようにしてもよい。
【０１２５】
（４）広告表示アプリケーション
本技術の表示装置に、店舗や企業の広告の表示を行うアプリケーションを適用することができる。広告の表示は、図４のフローチャートを参照して説明した情報表示処理において、ユーザの視認意思があると判定された場合の表示領域以外の領域や、ユーザの視認意思がないと判定された場合の表示部１１の全周またはその一部で行われるものとする。なお、表示される広告は、時間帯や位置情報で示される位置に応じて変化するようにしてもよい。
【０１２６】
（５）アクセサリ画像表示アプリケーション
本技術の表示装置に、アクセサリを模したデザインの画像（アクセサリ画像）の表示を行うアプリケーションを適用することができる。アクセサリ画像の表示もまた、図４のフローチャートを参照して説明した情報表示処理において、ユーザの視認意思があると判定された場合の表示領域以外の領域や、ユーザの視認意思がないと判定された場合の表示部１１の全周またはその一部で行われるものとする。なお、アクセサリ画像を表示させることで、表示装置を目立たせることができるが、アクセサリ画像に代え、人の肌の色の画像を表示させることで、表示装置を目立たせないようにしてもよい。
【０１２７】
[表示装置の他の実施の形態]
図１２は、本技術を適用したリストバンド型の表示装置の他の実施の形態の構成例を示す外観図である。
【０１２８】
図１２の表示装置５０１は、例えば樹脂製で、中空の円筒形状に構成される外周部５１１および内周部５１２から構成される。外周部５１１は、内周部５１２の周りを回転可能となるようになされている。外周部５１１の外周面には、図１の表示装置１と同様、全周にわたり、表面を外側にして円筒形状に湾曲可能で、その表面の全周または一部の領域に表示可能な表示部１１が設けられている。
【０１２９】
このような構成により、内周部５１２が手首の周りで回転しないように、ユーザにより表示装置５０１が装着されている場合であっても、表示部１１は手首の周りを回転可能とされる。
【０１３０】
なお、以上においては、本技術の表示装置は、人体の一部としての腕（手首）に装着されるものとしたが、手首に限らず、上腕部や、大腿部、足首等に装着されるようにしてもよい。
【０１３１】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。この記録媒体は、例えば、図２に示される記憶部２４としてのメモリ等により構成される。
【０１３２】
なお、本技術の実施の形態は、上述した実施の形態に限定されるものではなく、本技術の要旨を逸脱しない範囲において種々の変更が可能である。
【０１３３】
本技術は、１つの機能をネットワークを介して複数の装置で分担、共同して処理するクラウドコンピューティングの構成をとることができる。
【０１３４】
例えば、表示装置に通信部を設けるとともに、制御部２５（制御部１２１）および記憶部２４を外部のサーバに設けるようにして、ネットワークを介して表示装置とサーバとが通信を行うことで、表示部１１の表示領域に表示情報を表示させるようにすることができる。
【０１３５】
また、上述のフローチャートで説明した各ステップは、１つの装置で実行する他、複数の装置で分担して実行することができる。
【０１３６】
さらに、１つのステップに複数の処理が含まれる場合には、その１つのステップに含まれる複数の処理は、１つの装置で実行する他、複数の装置で分担して実行することができる。
【０１３７】
また、本技術は以下のような構成をとることができる。
（１）
表面を外側に略円筒形状に湾曲可能で、その表面の全周または一部の領域に表示可能な表示部と、
前記表示部を体の一部に装着するユーザの、前記表示部に表示される情報の視認意思を検知する視認意思検知部と、
前記ユーザの視認意思に応じて、前記表示部において前記ユーザが視認可能な領域を、前記情報を表示する表示領域に決定する表示領域決定部と、
前記表示領域への前記情報の表示を制御する表示制御部と
を備える表示装置。
（２）
前記視認意思検知部は、前記ユーザの姿勢を検知することで、前記ユーザの視認意思を検知する
（１）に記載の表示装置。
（３）
前記表示領域決定部は、前記ユーザの姿勢に基づいて、前記表示部において前記ユーザが視認可能な領域を、前記表示領域に決定する
（２）に記載の表示装置。
（４）
前記視認意思検知部は、前記ユーザの操作入力によって、前記ユーザの視認意思を検知する
（１）に記載の表示装置。
（５）
前記表示領域決定部は、前記表示部に重畳されてなるタッチパネルへの操作入力に応じて、前記表示領域を決定する
（１）に記載の表示装置。
（６）
前記表示制御部は、前記表示領域において、前記情報を前記表示部の円周方向に連続的にスクロールさせる
（１）乃至（５）のいずれかに記載の表示装置。
（７）
前記表示制御部は、前記表示領域において、前記情報を所定の時間間隔でスライド表示させる
（１）乃至（５）のいずれかに記載の表示装置。
（８）
前記表示制御部は、前記表示領域において、前記情報の全てが収まるように前記情報一括表示させる
（１）乃至（５）のいずれかに記載の表示装置。
（９）
前記表示制御部は、前記表示領域において、前記表示部に重畳されてなるタッチパネルへの操作入力に応じて前記情報を前記表示部の円周方向にスクロールさせる
（１）乃至（５）のいずれかに記載の表示装置。
（１０）
前記表示制御部は、前記ユーザの行動に応じて、前記表示部に表示される前記情報の表示の仕方を変更する
（１）乃至（５）のいずれかに記載の表示装置。
（１１）
前記表示部の円周方向の回転を検出する回転検出部をさらに備え、
前記表示領域決定部は、前記回転検出部により検出された回転の角度に応じて、前記表示領域を移動させ、
前記表示制御部は、前記表示領域の移動に対応して、前記情報の表示を制御する
（１）に記載の表示装置。
（１２）
前記回転検出部により、初期状態から１周分の回転が検出された場合、
前記表示制御部は、前記初期状態の位置の前記表示領域に、前記情報の続きを表示させる
（１１）に記載の表示装置。
（１３）
前記回転検出部により、初期状態から所定角度分の回転が検出され、さらに前記初期状態への逆回転が検出された場合、
前記表示領域決定部は、回転に応じて移動した前記表示領域を前記初期状態の位置に戻し、
前記表示制御部は、前記初期状態の位置の前記表示領域に、前記情報の続きを表示させる
（１１）に記載の表示装置。
（１４）
前記表示制御部は、前記表示部における前記表示領域以外の領域への所定の画像または色の表示を制御する
（１）乃至（１３）のいずれかに記載の表示装置。
（１５）
前記表示制御部は、前記ユーザによる前記情報の視認意思がない場合、前記表示部の全周またはその一部への所定の画像または色の表示を制御する
（１）乃至（１４）のいずれかに記載の表示装置。
（１６）
表面を外側に略円筒形状に湾曲可能で、その表面の全周または一部の領域に表示可能な表示部を備える表示装置の表示方法であって、
前記表示装置が、
前記表示部を体の一部に装着するユーザの、前記表示部に表示される情報の視認意思を検知し、
前記ユーザの視認意思に応じて、前記表示部において前記ユーザが視認可能な領域を、前記情報を表示する表示領域に決定し、
前記表示領域への前記情報の表示を制御する
ステップを含む表示方法。
【符号の説明】
【０１３８】
１  表示装置，  １１  表示部，  ２１  センサ群，  ２２  カメラ，  ２３  入力部，  ２４  記憶部，  ２５  制御部，  ３１  視認意思検知部，  ３２  表示領域決定部，  ３３  表示制御部
【図１】
2015172653.tif 000003
【図２】
2015172653.tif 000004
【図３】
2015172653.tif 000005
【図４】
2015172653.tif 000006
【図５】
2015172653.tif 000007
【図６】
2015172653.tif 000008
【図７】
2015172653.tif 000009
【図８】
2015172653.tif 000010
【図９】
2015172653.tif 000011
【図１０】
2015172653.tif 000012
【図１１】
2015172653.tif 000013
【図１２】
2015172653.tif 000014